(57)【要約】      （修正有）【課題】雪庇発生防止装置に積雪した雪を融雪することにより雪庇の発生を防止する雪庇発生防止装置を提供する。【解決手段】本発明の雪庇発生防止装置１０は、無落雪屋根１２の笠木１２ａの上面に垂直に設ける雪庇発生防止板１４と、笠木１２ａ上面に設ける雪受け板１６とを備えるものである。また、雪受け板１６を笠木１２ａ上面の上方に設けることにより、雪受け板１６と笠木１２ａとの間に空間１８を形成するものである。空間１８を形成することにより、雪庇発生防止板１４を超えて雪庇が発生することを防止することができる。【選択図】図３
2018071166.tif 000002
【特許請求の範囲】
【請求項１】
無落雪屋根の笠木の壁面側に垂直に設ける雪庇発生防止板と、笠木上面に積もる雪を受ける雪受け板とを備え、雪受け板を笠木の上方に設けることにより雪受け板と笠木との間に雪が積もらない空間を形成することを特徴とする雪庇発生防止装置。
【請求項２】
雪受け板を所定の高さに支持する雪受け板置き台を備えることを特徴とする請求項１記載の雪庇発生防止装置。
【発明の詳細な説明】
【技術分野】
【０００１】
本発明は、無落雪建築の屋根に設置する雪庇発生防止装置に関するものである
【背景技術】
【０００２】
豪雪地方では、無落雪建築を採用している住宅が多数ある。無落雪建築は、屋根に積もった雪を雪下ろし（除雪）することなく屋根に載せたまま自然に処理するものである。三角屋根のように氷柱ができ難いという利点があるが、雪庇が発生する場合がある。雪庇は、雪が積もった無落雪の屋根に風が一方方向に吹き風下方向にできる雪の塊である。従来、雪庇対策として、雪庇を発生させない雪庇発生防止装置が提供されている（たとえば、特許文献１）。
【先行技術文献】
【特許文献】
【０００３】
【特許文献１】実用新案登録第３０９４９８３号公報
【発明の概要】
【発明が解決しようとする課題】
【０００４】
特許文献１の雪庇発生防止装置は、傾斜面を風上側に向けた状態で設置される雪庇発生防止装置であり、上記傾斜面が、水平面より４５°〜６０°程度起立した下部傾斜板と、その下部傾斜板の上方に連続する水平面より７５°〜８０°程度起立した上部傾斜板とからなる屈曲面であるものである。傾斜面が屈曲面であるので、下部傾斜板が上部傾斜板に風を導くとともに、上部傾斜板が下部傾斜板から誘導された風をスムーズに上方に向け、その風速を速めることから、建造物の風下で発生する渦の位置を壁面から離し、雪庇発生を防止することができる。
【０００５】
特許文献１の雪庇発生防止装置は、傾斜面を用いて建造物の風下で発生する渦の位置を壁面から離し、雪庇発生を防止するものである。また、傾斜面を屈曲面とすることで、傾斜面に積雪しにくくなっている。
しかし、傾斜面に積雪が生じた場合、上部傾斜板を超えて雪庇が発生する場合があった。
【０００６】
本発明は、上記問題を解決するものであって、装置に積雪した雪を融雪することにより雪庇の発生を防止する雪庇発生防止装置を提供することを目的とするものである。
【課題を解決するための手段】
【０００７】
本発明の雪庇発生防止装置は、無落雪屋根の笠木の壁面側に垂直に設ける雪庇発生防止板と、笠木上面に積もる雪を受ける雪受け板とを備え、雪受け板を笠木の上方に設けることにより雪受け板と笠木との間に雪が積もらない空間を形成するようにしたものである。
また、雪受け板を所定の高さに支持する雪受け板置き台を備えるようにしたものである。
【発明の効果】
【０００８】
本発明の雪庇発生防止装置は、笠木上面に積もる雪を受ける雪受け板を設けるものである。雪受け板によって雪受け板の下方に形成される空間により、雪受け板に積もる雪は晴天時に融雪されることから、雪庇発生防止装置を超えて雪庇が発生することを防止できる。
【図面の簡単な説明】
【０００９】
【図１】本発明の雪庇発生防止装置の正面図である。
【図２】図１のＡ−Ａ断面図である。
【図３】図１のＢ−Ｂ端面図であり、図１の雪庇発生防止装置の使用状態を表わす図である。
【発明を実施するための形態】
【００１０】
本発明は、雪庇発生防止装置の積雪を融雪して雪庇の発生を防止することを実現するものである。
【実施例】
【００１１】
本発明の雪庇発生防止装置について説明する。図１は、本発明の雪庇発生防止装置の正面図である。図２は、図１のＡ−Ａ断面図である。図３は、図１のＢ−Ｂ端面図であり、図１の雪庇発生防止装置の使用状態を表わす図である。
本発明の雪庇発生防止装置１０は、無落雪屋根１２の笠木１２ａ（パラペット）の上面に垂直に設ける雪庇発生防止板１４と、笠木１２ａ上方に設ける雪受け板１６とを備えるものである。また、雪受け板１６を笠木１２ａの上方に設けることにより、雪受け板１６と笠木１２ａとの間に空間１８を形成するものである。
【００１２】
雪庇発生防止板１４は、無落雪屋根１２の笠木１２ａに垂直に設ける所定の高さ・幅に形成された板状のものである。無落雪屋根１２では、笠木１２ａの上面及び屋根本体１２ｂに雪２０が降り積もり、屋根本体１２ｂから笠木１２ａに向かって風が吹くと、笠木１２ａからその壁面に向けて伸びる雪庇（雪の塊）が発生する。笠木１２ａの上面に雪庇発生防止板１４を所定の高さに設けることにより、笠木１２ａに発生する雪庇の発生を防止できる。
図１の雪庇発生防止板１４には、多数の孔部１４ａが設けられているものとする（図３）。
雪庇発生防止板１４は、笠木１２ａの外側のエッジに取り付けられた第一基台２２に垂直に固定されている。第一基台２２は、Ｕ字状に形成した金属板であり、笠木１２ａのエッジ部分を覆うように取り付けられている。
【００１３】
雪庇発生防止板１４には、その防止板１４から笠木１２ａ上に伸びる雪受け板置き台２４が固定されている。雪受け板置き台２４は、角部材の形状のものであり、雪庇発生防止板１４に所定の間隔で複数個固定されている。雪受け板置き台２４は、笠木１２ａの幅より長く設ける。
なお、雪受け板置き台２４には、その高さを調整するための昇降部材２６が設けられている。昇降部材２６は、笠木１２ａの内側のエッジに取り付けられる第二基台２８に固定されている。第二基台２８は、第一基台２２と同じ部材である。
【００１４】
図１乃至図３において、板状の雪受け板１６が雪受け板置き台２４に置かれている。このとき、雪受け板１６は、笠木１２ａの上方に配置されることから、雪受け板１６と笠木１２ａとの間に空間１８が形成される。雪受け板１６には、多数の孔部１６ａが設けられているものとする（図３）。
雪庇発生防止装置１０において、笠木１２ａの上方に雪受け板１６が設けられていることから、降雪時において、雪２０は笠木１２ａに積もらない。すなわち、雪受け板１６の下方には、雪２０が積もらない空間１８が形成される。
降雪時には、雪庇発生防止板１４及び雪受け板１６に雪２０が積もる（図３）。雪が止み晴天になると、外気３０の温度が上昇するが、このとき、空間１８の温度も上昇する。空間１８の温度が上がると、雪受け板１６に積もる雪２０（空間１８に近い雪２０ａ）が融け始める。また、空間１８に近い雪２０ａが融け始めると、雪２０の上部の積雪（２０ｂ）の重みにより積雪２０ｂも空間１８に近づき融ける。このように、本発明の雪庇発生防止装置１０によると、晴天時に空間１８の周辺の積雪２０が融雪される。融雪により生じる水３２は、雪受け板１６の孔部１６aから笠木１２ａの上面を流れ、無落雪屋根本体１２ｂに流れ込み、無落雪屋根１２の樋（図示せず）に排出される。また、外気３０の温度上昇及び水３２の流れによって無落雪屋根本体１２ｂの積雪２０も融雪される。
なお、初めての降雪時には、風下（笠木１２ａ）に向かって風が吹くと、空間１８内に雪２０が吹き込むが、晴天時に空間１８内に吹き込まれた雪２０は融ける。また、雪受け板１６上には積雪２０があることから、その後の降雪において空間１８に雪２０が積もることはない。
【００１５】
以上のように、本発明の雪庇発生防止装置は、融雪機能を有するものである。本発明によると、降雪時に雪受け板や無落雪屋根本体に積もった雪は、晴天時にそのままの状態で（すなわち除雪しなくても）、徐々に融雪されることから（図３）、次の降雪時までに積雪を減らすことができる。これにより、雪庇発生防止板を超えて雪庇が発生することを防止することができる。本発明の雪庇発生防止装置は、無落雪屋根の融雪により雪庇の発生を防止するものである。
一方、従来（特許文献１）の雪庇発生防止装置は、積雪を防止して雪庇の発生を防止するものである。しかし、融雪する構成部分がないことから、雪庇発生防止装置に積雪が続き、上部傾斜板を超えて雪庇が発生する場合がある。
なお、図１及び図２に示すように、雪庇発生防止板１４と雪受け板置き台２４とを固定する補強材３４を設けてもよい。
【符号の説明】
【００１６】
１０  雪庇発生防止装置
１２  無落雪屋根
１２ａ  笠木
１４  雪庇発生防止板
１６  雪受け板
１８  空間
２０  雪
２４  雪受け板置き台
【図１】
2018071166.tif 000003
【図２】
2018071166.tif 000004
【図３】
2018071166.tif 000005